(57)【特許請求の範囲】
【請求項１】
デジタル専用線を終端するターミナルアダプタであって、
デジタル専用線インターフェースを持つデジタル専用線接続部と、複数種のアナログ線インターフェースを持つアナログ線接続部と、ユーザよりアナログ線インターフェースの指定を受け付ける指示受付部と、を有し、
前記アナログ線接続部は、
アナログ-デジタル変換処理を介して、前記アナログ線接続部に接続されているアナログ線を前記デジタル専用線接続部に接続すると共に、前記指示受付部が受け付けた指定により特定されるアナログ線インターフェースの種別に応じ、ＰＢ信号の組み合わせによるパターンデータをデジタル信号に変換することで得られる擬似的な呼制御情報を、前記デジタル専用線接続部と送受すること
を特徴とするターミナルアダプタ。
【請求項２】
請求項１記載のターミナルアダプタであって、
前記複数種のアナログ線インターフェースとは、４線式インターフェースおよびＳＳ/ＳＲ方式の４線式ＯＤインターフェースであり、
前記アナログ線接続部は、
前記指示受付部が４線式インターフェースの指定を受け付けた場合、アナログ-デジタル変換処理を介して、前記アナログ線接続部に接続されているアナログ線を前記デジタル専用線接続部に接続し、
前記指示受付部がＳＳ/ＳＲ方式の４線式ＯＤインターフェースの指定を受け付けた場合、アナログ-デジタル変換処理を介して、前記アナログ線接続部に接続されているアナログ線中の通話線を前記デジタル専用線接続部に接続すると共に、前記アナログ線接続部に接続されているアナログ線中のＳＳ/ＳＲ線と送受するＳＳ/ＳＲ信号を、ＰＢ信号の組み合わせによるパターンデータをデジタル信号に変換することで得られる擬似的なＳＳ/ＳＲ信号を用いて、前記デジタル専用線接続部と送受すること
を特徴とするターミナルアダプタ。
【請求項３】
請求項２記載のターミナルアダプタであって、
前記アナログ接続部は、
アナログ線と接続するための８ピンコネクタを有し、
前記８ピンコネクタは、
そのうちの４ピンがＳＳ/ＳＲ方式の４線式ＯＤインターフェースの制御線用であり、残りの４ピンが、ＳＳ/ＳＲ方式の４線式ＯＤインターフェースの通話線および４線式インターフェースのアナログ線の共用であること
を特徴とするターミナルアダプタ。
【発明の詳細な説明】
【０００１】
【発明の属する技術分野】
本発明は、デジタル専用線を終端するターミナルアダプタに関する。
【０００２】
【従来の技術】
従来より、電話機等のアナログ端末を専用線に接続するための装置として、帯域内信号装置が知られている。帯域内信号装置は、可聴帯域外の音声周波数帯域信号を利用して、発呼、着呼、終話等の呼制御情報を送受信する。
【０００３】
【発明が解決しようとする課題】
従来の帯域内信号装置は、アナログ端末をアナログ専用線に接続することを前提としており、アナログ端末をデジタル専用線に接続することについて考慮されていなかった。このため、アナログ端末をデジタル専用線に接続するためのターミナルアダプタの実現が望まれている。
【０００４】
ところで、このようなターミナルアダプタを用いて交換機に収容されているアナログ端末をデジタル専用線に接続する環境を構築する場合、新たな環境を最初から構築する場合と、既に帯域内信号装置を介してアナログ専用線に接続する環境が構築されており、単に、アナログ専用線をデジタル専用線に変更する場合とで、ターミナルアダプタに要求されるアナログ線インターフェースの種類が異なることがある。
【０００５】
本発明は、上記事情に鑑みてなされたものであり、本発明の目的は、複数種のアナログ線インターフェースに対応した、デジタル専用線を終端するターミナルアダプタを提供することにある。
【０００６】
【課題を解決するための手段】
上記課題を解決するために、本発明のターミナルアダプタは、デジタル専用線インターフェースを持つデジタル専用線接続部と、複数種のアナログ線インターフェースを持つアナログ線接続部と、ユーザよりアナログ線インターフェースの指定を受け付ける指示受付部と、を有する。
【０００７】
そして、前記アナログ線接続部は、アナログ-デジタル変換処理を介して、前記アナログ線接続部に接続されているアナログ線を前記デジタル専用線接続部に接続すると共に、前記指示受付部が受け付けた指定により特定されるアナログ線インターフェースの種別に応じ、ＰＢ信号の組み合わせによるパターンデータをデジタル信号に変換することで得られる擬似的な呼制御情報を、前記デジタル専用線接続部と送受する。
【０００８】
本発明において、前記アナログ線接続部は、アナログ-デジタル変換処理を介して、前記アナログ線接続部に接続されているアナログ線を前記デジタル専用線接続部に接続する。この際、接続されているアナログ線が採用するアナログ線インターフェースに応じて、ＰＢ信号の組み合わせによるパターンデータをデジタル信号に変換することで得られる擬似的な呼制御情報を、前記デジタル専用線接続部と送受する。これにより、前記アナログ線接続部に接続されているアナログ線および前記デジタル専用線接続部に接続されているデジタル専用線間の呼制御情報の送受を行なう。したがって、本発明によれば、複数種のアナログ線インターフェースに対応した、デジタル専用線を終端するターミナルアダプタを提供できる。
【０００９】
なお、本発明において、前記複数種のアナログ線インターフェースとして、例えば、４線式インターフェースと、ＳＳ/ＳＲ方式の４線式ＯＤインターフェースとが用いられる。
【００１０】
この場合、前記アナログ線接続部は、前記指示受付部が４線式インターフェースの指定を受け付けているならば、アナログ-デジタル変換処理を介して、前記アナログ線接続部に接続されているアナログ線を前記デジタル専用線接続部に接続する。一方、前記指示受付部がＳＳ/ＳＲ方式の４線式ＯＤインターフェースの指定を受け付けているならば、アナログ-デジタル変換処理を介して、前記アナログ線接続部に接続されているアナログ線中の通話線を前記デジタル専用線接続部に接続すると共に、前記アナログ線接続部に接続されているアナログ線中のＳＳ/ＳＲ線と送受するＳＳ/ＳＲ信号を、ＰＢ信号の組み合わせによるパターンデータをデジタル信号に変換することで得られる擬似的なＳＳ/ＳＲ信号を用いて、前記デジタル専用線接続部と送受する。
【００１１】
このようにした場合、ＳＳ/ＳＲ方式の４線式ＯＤインターフェースを採用する交換機に本発明のターミナルアダプタを接続すると共に、本発明のターミナルアダプタの前記指示受付部に、ＳＳ/ＳＲ方式の４線式ＯＤインターフェースの指定を入力することで、前記交換機に収容されているアナログ端末をデジタル専用線に接続する環境を構築できる。
【００１２】
また、ＳＳ/ＳＲ方式の４線式ＯＤインターフェースを採用する交換機に接続されている、４線式インターフェースを採用するアナログ専用線に接続するための帯域内信号装置に、本発明のターミナルアダプタを接続すると共に、本発明のターミナルアダプタの前記指示受付部に、４線式インターフェースの指定を入力することで、前記交換機に収容されているアナログ端末をデジタル専用線に接続する環境を構築できる。
【００１３】
【発明の実施の形態】
以下、本発明の実施の形態について説明する。
【００１４】
図１は、本発明の一実施形態が適用されたターミナルアダプタの概略構成図である。本実施形態のターミナルアダプタは、デジタル専用線を終端するターミナルアダプタであり、セルフテスト（自己診断テスト）をサポートしている。
【００１５】
図示するように、本実施形態のターミナルアダプタは、デジタル専用線インターフェースとしての機能を持つデジタル専用線接続部１と、複数種のアナログ線インターフェースとしての機能を持つアナログ線接続部２と、ユーザよりアナログ線インターフェースの指定を受け付ける指示受付部３と、これらの各部を統括的に制御する主制御部４と、を有する。
【００１６】
ここで、本実施形態では、前記複数種のアナログ線インターフェースとして、一般的なアナログ専用線が採用する４線式インターフェースと、ＰＢＸ（Private Branch Exchange）等の交換機の多くが採用するＳＳ/ＳＲ方式の４線式ＯＤインターフェースと、を用いている。
【００１７】
デジタル専用線接続部１は、デジタル専用線を物理的に接続するための端子盤１２と、端子盤１２に接続されたデジタル専用線と信号を送受するデジタル専用線インターフェース部１１とを有する。
【００１８】
アナログ線接続部２は、アナログ線を物理的に接続するためのアナログポート２１と、アッテネータ２２と、ＡＤＰＣＭ（Adaptive Differential PCM）コーデック２３と、アナログ線インターフェース制御部２４と、ＰＢレシーバ２５と、ＰＢジェネレータ２６とを有する。
【００１９】
アナログポート２１は、８ピンコネクタであり、そのうちの４ピン２１１がＳＳ/ＳＲ方式の４線式ＯＤインターフェースのＳＳ/ＳＲ線（４線）に割り当てられている。ここで、４ピン２１１のうちの２ピンはＳＳ/ＳＲ信号の受信用であり、残りの２ピンはＳＳ/ＳＲ信号の送信用である。
【００２０】
また、８ピンコネクタのうちの残り４ピン２１２が、ＳＳ/ＳＲ方式の４線式ＯＤインターフェースの通話線（４線）および４線式インターフェースのアナログ線（４線）に割り当てられている。ここで、４ピン２１２のうちの２ピンは送信用であり、残りの２ピンは受信用である。
【００２１】
アッテネータ２２は、直流カット用のトランスＴを介して、アナログポート２１の４ピン２１２に接続されており、この４ピン２１２に接続されたＳＳ/ＳＲ方式の４線式ＯＤインターフェースの通話線あるいは４線式インターフェースのアナログ線と送受する信号（アナログ信号）の利得を制御する。
【００２２】
ＡＤＰＣＭコーデック２３は、アッテネータ２２より受け取ったアナログ信号をＡＤＰＣＭ符号化して、アナログ線インターフェース制御部２４へ渡す。また、ＡＤＰＣＭコーデック２３は、アナログ線インターフェース制御部２４より受け取ったデジタル信号をＡＤＰＣＭ復号化して、アッテネータ２２へ渡す。
【００２３】
ＰＢレシーバ２５は、アッテネータ１２からアナログポート２１（具体的には４ピン２１２のうちの送信用ピン）へ向けて出力されるアナログ信号より、ＰＢ（Push button）信号を検出し、その結果をアナログ線インターフェース制御部２４へ通知する。
【００２４】
ＰＢジェネレータ２６は、アナログ線インターフェース制御部２４の指示に従い、アッテネータ２２からＡＤＰＣＭコーデック２３へ向けて出力されるアナログ信号の信号線に、ＰＢ信号を送出する。
【００２５】
アナログ線インターフェース制御部２４は、指示受付部３を介してユーザにより指定されたアナログ線インターフェースに従い動作する。
【００２６】
次に、上記構成のターミナルアダプタの動作について説明する。
【００２７】
図２は、本実施形態が適用されたターミナルアダプタの動作を説明するためのフロー図である。
【００２８】
電源が投入されると、本実施形態のターミナルアダプタは、セルフテストを実施する（Ｓ２００１）。このセルフテストは、主制御部４が、図１に示す各部の状態を確認することで実施される。セルフテストの結果、異常が検出されたならば（Ｓ２００２）、主制御部４は、図示していない表示ランプ等にエラー表示をする等の異常処理を行なう（Ｓ２００３）。
【００２９】
一方、セルフテストの結果、正常であることが確認されたならば（Ｓ２００２）、主制御部４は、図１に示す各部を制御して、ＯＳＩの７レイヤでいうところのレイヤ１の確立動作を行なう（Ｓ２００４、Ｓ２００５）。このとき、アナログ線インターフェース制御部２４は、指示受付部３を介してユーザより指定されているアナログ線インターフェースに応じた動作を行なう。
【００３０】
具体的には、指示受付部３を介してユーザにより指定されたアナログ線インターフェースが４線式インターフェースである場合（Ｓ２００６）、アナログ線インターフェース制御部２４は、ＡＤＰＣＭコーデック１３およびデジタル専用線インターフェース部１１間のデジタル信号の送受を中継して、アナログポート２１の４ピン２１２に接続されている４線式インターフェースを採用するアナログ線（４線）と、端子盤１２に接続されているデジタル専用線と、を接続する（Ｓ２００７）。
【００３１】
これにより、アナログポート２１の４ピン２１２の受信用ピンを介して受け取られ、アッテネータ２２で利得調整されたアナログ信号は、ＡＤＰＣＭコーデック２３でＡＤＰＣＭ符号化された後、アナログ線インターフェース制御部２４を介してデジタル専用線インターフェース部１１に入力される。そして、デジタル専用線が採用するデータフォーマットに変換された後、端子盤１２を介してデジタル専用線へ送信される。また、端子盤１２を介して受け取られ、デジタル専用線インターフェース部１１で前記データフォーマットから変換されたデジタル信号は、アナログ線インターフェース制御部２４を介してＡＤＰＣＭコーデック２３に入力される。そして、ＡＤＰＣＭ復号化された後、アッテネータ２２で利得調整され、それから、アナログポート２１の４ピン２１２の送信用ピンを介してアナログ線に送信される。
【００３２】
一方、指示受付部３を介してユーザにより指定されたアナログ線インターフェースがＳＳ/ＳＲ方式の４線式ＯＤインターフェースである場合、アナログ線インターフェース制御部２４は、ＡＤＰＣＭコーデック１３およびデジタル専用線インターフェース部１１間のデジタル信号の送受を中継して、以下のＳＳ/ＳＲ信号中継を行なう（Ｓ２００８）。
【００３３】
すなわち、アナログポート２１の４ピン２１１の受信用ピンに接続されているＳＳ/ＳＲ線上のＳＳ/ＳＲ信号が変化すると、アナログ線インターフェース制御部２４は、変化後の信号の内容に応じたＰＢ信号の組合せを持つパターンデータの送信を、ＰＢジェネレータ２６に指示する。これにより、ＰＢジェネレータ２６は、指定されたＰＢ信号の組合せを持つパターンデータを生成し、これを擬似的なＳＳ/ＳＲ信号として、ＡＤＰＣＭコーデック２３へ送出する。ＡＤＰＣＭコーデック２３は、受け取ったパターンデータをＡＤＰＣＭ符号化して、アナログ線インターフェース制御部２４に渡す。この符号化されたパターンデータはデジタル専用線インターフェース部１１へ送出される。これにより、アナログポート２１に接続された、ＳＳ/ＳＲ方式の４線式ＯＤインターフェースを採用するアナログ線中のＳＳ/ＳＲ線上のＳＳ/ＳＲ信号が、端子盤１２に接続されているデジタル専用線へ送出される。
【００３４】
一方、ＰＢレシーバ１５からＰＢ信号を受け取ると、アナログ線インターフェース制御部２４は、ＰＢレシーバ１５から送られてくるＰＢ信号の組合せを解析し、当該組合せが表す擬似的なＳＳ/ＳＲ信号を特定する。そして、アナログポート２１の４ピン２１１の受信用ピンに接続されているＳＳ/ＳＲ線上のＳＳ/ＳＲ信号を、前記特定したＳＳ/ＳＲ信号へ変化させる。これにより、端子盤１２に接続されているデジタル専用線から受け取ったＳＳ/ＳＲ信号が、アナログポート２１に接続された、ＳＳ/ＳＲ方式の４線式ＯＤインターフェースを採用するアナログ線中のＳＳ/ＳＲ線へ送出される。
【００３５】
また、アナログ線インターフェース制御部２４は、ＡＤＰＣＭコーデック１３およびデジタル専用線インターフェース部１１間のデジタル信号の送受を中継して、アナログポート２１の４ピン２１２に接続されている、ＳＳ/ＳＲ方式の４線式ＯＤインターフェースを採用するアナログ線中の通話線（４線）と、端子盤１２に接続されているデジタル専用線と、を接続する（Ｓ２００９）。
【００３６】
次に、上記構成のターミナルアダプタを用いて構築された通信システムの動作について説明する。
【００３７】
先ず、４線式インターフェースを採用するアナログ線を本実施形態のターミナルアダプタを介してデジタル専用線に接続することで構築された通信システムの動作について説明する。
【００３８】
図３は、本実施形態のターミナルアダプタを用いて構築された通信システムの一例を示す図である。この例では、本実施形態のターミナルアダプタに４線式インターフェースを採用するアナログ線が接続されている。
【００３９】
図３において、符号１００ａ、１００ｂが本実施形態のターミナルアダプタである。ターミナルアダプタ１００ａは、帯域内信号装置１０３ａを介して、アナログ端末１０１ａを収容するＰＢＸ等の交換機１０２ａに接続されている。また、ターミナルアダプタ１００ｂは、帯域内信号装置１０３ｂを介して、アナログ端末１０１ｂを収容するＰＢＸ等の交換機１０２ｂに接続されている。また、ターミナルアダプタ１００ａおよびターミナルアダプタ１００ｂは、デジタル専用線１０４を介して互いに接続されている。
【００４０】
ここで、交換機１０２ａ、１０２ｂは、ＳＳ/ＳＲ方式の４線式ＯＤインターフェースを採用している。また、帯域内信号装置１０３ａ、１０３ｂは、本来、交換機１０２ａ、１０２ｂを４線式インターフェースを採用するアナログ専用線に接続するためのものであり、交換機１０２ａ、１０２ｂより受け取ったＳＳ/ＳＲ信号を、可聴帯域外の音声周波数帯域信号に変換する。そして、この音声周波数帯域信号を４線式インターフェースを採用するアナログ線へ送出する。一方、４線式インターフェースを採用するアナログ線より受け取った可聴帯域外の音声周波数帯域信号を解析し、当該信号が表すＳＳ/ＳＲ信号を交換機１０２ａ、１０２ｂへ送信する。
【００４１】
図４に、図３に示す通信システムにおいて、アナログ端末１０１ａ、１０１ｂがＤＰ（Dial Pulse）式の電話機である場合の、第２ダイヤルトーン方式の通信手順を示す。
【００４２】
ここで、ターミナルアダプタ１００ａ、１００ｂは、それぞれ、指示受付部３を介して４線式インターフェースが指定されて電源が投入されているものとする。この場合、ターミナルアダプタ１００ａ、１００ｂは、図２に示すＳ２００７（帯域内信号装置１０３ａ、１０３ｂをデジタル専用線１０４に中継する処理）を実行する。これにより、帯域内信号装置１０３ａおよび帯域内信号装置１０３ｂ間の通話パスが確立される。
【００４３】
さて、図４において、帯域内信号装置１０３ａ、１０３ｂは、ターミナルアダプタ１００ａ、デジタル専用線１０４およびターミナルアダプタ１００ｂを介して、互いにＳＳ信号オフを表す２５５０Ｈｚ信号を送受している。ここで、アナログ端末１０１ａがオフフックされると（Ｓ４００１）、交換機１０２ａはＳＳ信号をオンとする（Ｓ４００２）。これを受けて、帯域内信号装置１０３ａは、２５５０Ｈｚ信号の送出を停止し、ＳＳ信号オンを表す２６５０Ｈｚ信号を送信する（Ｓ４００３）。この信号は、ターミナルアダプタ１００ａ、デジタル専用線１０４およびターミナルアダプタ１００ｂを介して、帯域内信号装置１０３ｂへ送信される。そして、帯域内信号装置１０３ｂは、交換機１０２ｂへのＳＲ信号をオフからオンに切替える（Ｓ４００４）。
【００４４】
交換機１０２ｂは、帯域内信号装置１０３ｂよりのＳＲ信号がオフからオンに変化すると、第２ダイヤルトーン（４００Ｈｚ信号）を帯域内信号装置１０３ｂへ送信する。この信号は、ターミナルアダプタ１００ｂ、デジタル専用線１０４、ターミナルアダプタ１００ａ、帯域内信号装置１０３ａおよび交換機１０２ａを介して、オフフックしたアナログ端末１０１ａへ送信される（Ｓ４００５）。
【００４５】
次に、アナログ端末１０１ａがダイヤルされると（Ｓ４００６）、交換機１０２ａは、ＳＳ信号をオン・オフしてダイヤルを通知する（Ｓ４００７）。帯域内信号装置１０３ａは、ＳＳ信号のオン・オフに合わせて２５５０Ｈｚ信号あるいは２６５０Ｈｚ信号を送出する（Ｓ４００８）。具体的には、ＳＳ信号オンのときは、２５５０Ｈｚ信号をオフとし２６５０Ｈｚ信号をオンとする。ＳＳ信号オフのときは、２５５０Ｈｚ信号をオンとし２６５０Ｈｚ信号をオフとする。この２５５０Ｈｚ信号と２６５０Ｈｚ信号との組合せは、ターミナルアダプタ１００ａ、デジタル専用線１０４およびターミナルアダプタ１００ｂを介して、帯域内信号装置１０３ｂへ送信される。そして、帯域内信号装置１０３ｂは、この２５５０Ｈｚ信号と２６５０Ｈｚ信号との組合せに応じて、ＳＲ信号をオン・オフする（Ｓ４００９）。
【００４６】
交換機１０２ｂは、帯域内信号装置１０３ｂよりＳＲ信号のオン・オフを受け取ると、そのオン・オフが表すダイヤル番号を特定する。そして、特定したダイヤル番号を持つアナログ端末１０１ｂを呼び出す（Ｓ４０１０）。これと共に、交換機１０２ｂは、リングバックトーンを帯域内信号装置１０３ｂへ送信する。この信号は、ターミナルアダプタ１００ｂ、デジタル専用線１０４、ターミナルアダプタ１００ａ、帯域内信号装置１０３ａおよび交換機１０２ａを介して、オフフックしたアナログ端末１０１ａへ送信される（Ｓ４０１１）。
【００４７】
さて、呼び出されたアナログ端末１０１ｂがオフフックされると（Ｓ４０１２）、交換機１０２ｂはＳＳ信号をオンとする（Ｓ４０１３）。これを受けて、帯域内信号装置１０３ｂは、２５５０Ｈｚ信号の送出を停止し、ＳＳ信号オンを表す２６５０Ｈｚ信号を送信する（Ｓ４０１４）。この信号は、ターミナルアダプタ１００ｂ、デジタル専用線１０４およびターミナルアダプタ１００ａを介して、帯域内信号装置１０３ａへ送信される。そして、帯域内信号装置１０３ａは、交換機１０２ａへのＳＲ信号をオフからオンに切替える（Ｓ４０１５）。これにより、アナログ端末１０１ａおよびアナログ端末１０１ｂ間の通話パスが確立され、通話が可能となる（Ｓ４０１６）。
【００４８】
次に、通話が終了し、アナログ端末１０１ａがオンフックされると（Ｓ４０１７）、交換機１０２ａはＳＳ信号をオフとする（Ｓ４０１８）。これを受けて、帯域内信号装置１０３ａは、２６５０Ｈｚ信号の送出を停止し、ＳＳ信号オフを表す２５５０Ｈｚ信号を送信する（Ｓ４０１９）。この信号は、ターミナルアダプタ１００ａ、デジタル専用線１０４およびターミナルアダプタ１００ｂを介して、帯域内信号装置１０３ｂへ送信される。そして、帯域内信号装置１０３ｂは、交換機１０２ｂへのＳＲ信号をオンからオフに切替える（Ｓ４０２０）。
【００４９】
交換機１０２ｂは、帯域内信号装置１０３ｂよりのＳＲ信号がオンからオフへ変化すると、バックトーンをアナログ端末１０１ｂへ送信する（Ｓ４０２１）。そして、アナログ端末１０１ｂがオフフックされると（Ｓ４０２２）、ＳＳ信号をオフとする（Ｓ４０２３）。これを受けて、帯域内信号装置１０３ｂは、２６５０Ｈｚ信号の送出を停止し、ＳＳ信号オフを表す２５５０Ｈｚ信号を送信する（Ｓ４０２４）。この信号は、ターミナルアダプタ１００ｂ、デジタル専用線１０４およびターミナルアダプタ１００ａを介して、帯域内信号装置１０３ａへ送信される。そして、帯域内信号装置１０３ａは、交換機１０２ａへのＳＲ信号をオンからオフに切替える（Ｓ４０２５）。
【００５０】
次に、ＳＳ/ＳＲ方式の４線式ＯＤインターフェースを採用するアナログ線を本実施形態のターミナルアダプタを介してデジタル専用線に接続することで構築された通信システムの動作について説明する。
【００５１】
図５は、本実施形態のターミナルアダプタを用いて構築された通信システムの一例を示す図である。ここで、図３に示すものと同じ機能を有するものには、同じ符号を付している。図５に示す例では、図３において、帯域内信号装置１０３ａ、１０３ｂが省略された構成となっている。したがって、ターミナルアダプタ１００ａ、１００ｂには、交換機１０２ａ、１０２ｂよりのＳＳ/ＳＲ方式の４線式ＯＤインターフェースを採用するアナログ線が直接接続される。
【００５２】
図６に、図５に示す通信システムにおいて、アナログ端末１０１ａ、１０１ｂがＤＰ式の電話機である場合の、第２ダイヤルトーン方式の通信手順を示す。
【００５３】
ここで、ターミナルアダプタ１００ａ、１００ｂは、それぞれ、指示受付部３を介してＳＳ/ＳＲ方式の４線式ＯＤインターフェースが指定されて電源が投入されているものとする。この場合、ターミナルアダプタ１００ａ、１００ｂは、図２に示すＳ２００８（交換機１０２ａ、１０２ｂおよびデジタル専用線１０４間のＳＳ/ＳＲ信号を中継する処理）、Ｓ２００９（交換機１０２ａ、１０２ｂおよびデジタル専用線１０４間の通話信号を中継する処理）を実行する。
【００５４】
さて、図６において、アナログ端末１０１ａがオフフックされると（Ｓ５００１）、交換機１０２ａはＳＳ信号をオンとする（Ｓ５００２）。これを受けて、ターミナルアダプタ１００ａは、ＳＳ信号オンを表すＰＢ信号の組合せであるパターンデータＡを送信する（Ｓ５００３）。この信号は、デジタル専用線１０４を介して、ターミナルアダプタ１００ｂへ送信される。そして、ターミナルアダプタ１００ｂは、交換機１０２ｂへのＳＲ信号をオフからオンへ切替える（Ｓ５００４）。
【００５５】
交換機１０２ｂは、ターミナルアダプタ１００ｂよりのＳＲ信号がオンに変化すると、第２ダイヤルトーン（４００Ｈｚ信号）を送出する。この信号は、ターミナルアダプタ１００ｂ、デジタル専用線１０４、ターミナルアダプタ１００ａおよび交換機１０２ａを介して、オフフックしたアナログ端末１０１ａへ送信される（Ｓ５００５）。
【００５６】
次に、アナログ端末１０１ａがダイヤルされると（Ｓ５００６）、交換機１０２ａは、ＳＳ信号をオン・オフしてダイヤルを通知する（Ｓ５００７）。ターミナルアダプタ１００ａは、ＳＳ信号のオン・オフに合わせて、パターンデータＡあるいはＳＳ信号オフを表すＰＢ信号の組合せであるパターンデータＢを送出する（Ｓ５００７）。具体的には、ＳＳ信号がオフからオンに変化したときにパターンデータＡを送信する。また、ＳＳ信号がオンからオフに変化したときにパターンデータＢを送信する。このパターンデータＡとパターンデータＢとの組合せは、デジタル専用線１０４を介して、ターミナルアダプタ１００ｂへ送信される。そして、ターミナルアダプタ１００ｂは、このパターンデータＡとパターンデータＢとの組合せに応じて、ＳＲ信号をオン・オフする（Ｓ５００９）。
【００５７】
交換機１０２ｂは、ターミナルアダプタ１００ｂよりＳＲ信号のオン・オフを受け取ると、そのオン・オフが表すダイヤル番号を特定する。そして、特定したダイヤル番号を持つアナログ端末１０１ｂを呼び出す（Ｓ５０１０）。これと共に、交換機１０２ｂは、リングバックトーンを送信する。この信号は、ターミナルアダプタ１００ｂ、デジタル専用線１０４、ターミナルアダプタ１００ａ、帯域内信号装置１０３ａおよび交換機１０２ａを介して、オフフックしたアナログ端末１０１ａへ送信される（Ｓ５０１１）。
【００５８】
さて、呼び出されたアナログ端末１０１ｂがオフフックされると（Ｓ５０１２）、交換機１０２ｂはＳＳ信号をオンとする（Ｓ５０１３）。これを受けて、ターミナルアダプタ１００ｂは、パターンデータＡを送信する（Ｓ５０１４）。この信号は、デジタル専用線１０４を介して、ターミナルアダプタ１００ａへ送信される。そして、ターミナルアダプタ１００ａは、交換機１０２ａへのＳＲ信号をオフからオンに切替える（Ｓ５０１５）。これにより、アナログ端末１０１ａおよびアナログ端末１０１ｂ間の通話パスが確立され、通話が可能となる（Ｓ５０１６）。
【００５９】
次に、通話が終了し、アナログ端末１０１ａがオンフックされると（Ｓ５０１７）、交換機１０２ａはＳＳ信号をオフとする（Ｓ５０１８）。これを受けて、ターミナルアダプタ１００ａは、パターンデータＢを送信する（Ｓ５０１９）。この信号は、デジタル専用線１０４を介して、ターミナルアダプタ１００ｂへ送信される。そして、ターミナルアダプタ１００ｂは、交換機１０２ｂへのＳＲ信号をオンからオフに切替える（Ｓ５０２０）。
【００６０】
交換機１０２ｂは、ターミナルアダプタ１００ｂよりのＳＲ信号がオンからオフに変化すると、バックトーンをアナログ端末１０１ｂへ送信する（Ｓ５０２１）。そして、アナログ端末１０１ｂがオフフックされると（Ｓ５０２２）、ＳＳ信号をオフとする（Ｓ５０２３）。これを受けて、ターミナルアダプタ１００ｂは、パターンデータＢを送信する（Ｓ５０２４）。この信号は、デジタル専用線１０４を介して、ターミナルアダプタ１００ａへ送信される。そして、ターミナルアダプタ１００ａは、交換機１０２ａへのＳＲ信号をオンからオフに切替える（Ｓ５０２５）。
【００６１】
以上、本発明の一実施形態について説明した。
【００６２】
本実施形態において、指示受付部３が４線式インターフェースの指定を受け付けている場合、アナログ線インターフェース制御部２４は、ＡＤＰＣＭコーデック２３を介して、アナログポート２１の４ピン２１２に接続されているアナログ線（４線）をデジタル専用線インターフェース部１１に接続する。
【００６３】
一方、指示受付部３がＳＳ/ＳＲ方式の４線式ＯＤインターフェースの指定を受け付けている場合、アナログ線インターフェース制御部２４は、アナログポート２１の４ピン２１１に接続されているＳＳ/ＳＲ線（４線）と送受するＳＳ/ＳＲ信号を、ＰＢ信号の組み合わせによるパターンデータをデジタル信号に変換することで得られる擬似的なＳＳ/ＳＲ信号を用いて、デジタル専用線インターフェース部１１と送受する。また、ＡＤＰＣＭコーデック２３を介して、アナログポート２１の４ピン２１２に接続されている通話線（４線）をデジタル専用線インターフェース部１１に接続する。
【００６４】
したがって、本実施形態によれば、図５に示すように、ＳＳ/ＳＲ方式の４線式ＯＤインターフェースを採用する交換機１０２ａ、１０２ｂに、本実施形態のターミナルアダプタ１００ａ、１００ｂを接続すると共に、ターミナルアダプタの１００ａ、１００ｂの指示受付部３に、ＳＳ/ＳＲ方式の４線式ＯＤインターフェースの指定を入力することで、交換機１０２ａ、１０２ｂに収容されているアナログ端末１０１ａ、１０１ｂをデジタル専用線１０４に接続する環境を構築できる。
【００６５】
また、図３に示すように、ＳＳ/ＳＲ方式の４線式ＯＤインターフェースを採用する交換機１０２ａ、１０２ｂに接続されている、４線式インターフェースを採用するアナログ専用線に接続するための帯域内信号装置１０３ａ、１０３ｂに、本発明のターミナルアダプタ１００ａ、１００ｂを接続すると共に、ターミナルアダプタ１００ａ、１００ｂの指示受付部３に、４線式インターフェースの指定を入力することで、交換機１０２ａ、１０２ｂに収容されているアナログ端末１０１ａ、１０１ｂをデジタル専用線１０４に接続する環境を構築できる。
【００６６】
また、本実施形態では、アナログポート２１の４ピン２１２を、４線式インターフェースを採用するアナログ線（４線）およびＳＳ/ＳＲ方式の４線式ＯＤインターフェースを採用するアナログ線中の通話線（４線）の共用に割り当てている。このようにすることで、アナログポート２１数を減らすことができ、したがって、コストダウンできる。
【００６７】
なお、本発明は上記の実施形態に限定されものではなく、その要旨の範囲内で数々の変形が可能である。
【００６８】
例えば、上記の実施形態では、アナログ接続部２がサポートするアナログ線インターフェースとして、４線式インターフェースおよびＳＳ/ＳＲ方式の４線式ＯＤインターフェースの２つをサポートする場合を例にとり説明した。
【００６９】
しかし、本発明はこれに限定されない。アナログ接続部２は、複数種のアナログ線インターフェースをサポートするものであればよい。そして、アナログ線インターフェース制御部２４は、ＡＤＰＣＭコーデック２３等のアナログ-デジタル変換処理を介して、アナログポート２１に接続されているアナログ線中の通話線を、デジタル専用線インターフェース部１１に接続することができるものであればよい。このとき、指示受付部３で受け付けた指定により特定されるアナログ線インターフェースが、通話線とは別の制御線を用いるものである場合、アナログ線インターフェース制御部２４は、アナログポート２１に接続されているアナログ線中の通話線と送受する制御信号を、ＰＢ信号の組み合わせによるパターンデータをデジタル信号に変換することで得られる擬似的な制御情報を用いて、デジタル専用線インターフェース部１１と送受するようにすればよい。
【００７０】
また、アナログポート２１を、複数種のアナログ線インターフェースに対して共用する必要はない。例えば、複数種のアナログ線インターフェース毎に、対応するアナログ線インターフェースを採用するアナログ線を接続するためのアナログポートを設けてもよい。
【００７１】
【発明の効果】
以上説明したように、本発明によれば、複数種のアナログ線インターフェースに対応した、デジタル専用線を終端するターミナルアダプタを提供することができる。
【図面の簡単な説明】
【図１】本発明の一実施形態が適用されたターミナルアダプタの概略構成図である。
【図２】本実施形態が適用されたターミナルアダプタの動作を説明するためのフロー図である。
【図３】本実施形態のターミナルアダプタを用いて構築された通信システムの一例を示す図である。
【図４】図３に示す通信システムにおいて、アナログ端末１０１ａ、１０１ｂがＤＰ式の電話機である場合の、第２ダイヤルトーン方式の通信手順を示す図である。
【図５】本実施形態のターミナルアダプタを用いて構築された通信システムの一例を示す図である。
【図６】図６に示す通信システムにおいて、アナログ端末１０１ａ、１０１ｂがＤＰ式の電話機である場合の、第２ダイヤルトーン方式の通信手順を示す図である。
【符号の説明】
１…デジタル専用線接続部
２…アナログ線接続部
３…指示受付部
４…主制御部
１１…デジタル専用線インターフェース部
１２…端子盤
２１…アナログポート
２２…アッテネータ
２３…ＡＤＰＣＭコーデック
２４…アナログ線インターフェース制御部
２５…ＰＢレシーバ
２６…ＰＢジェネレータ
２１１、２１２…４ピン
【図１】
0004430259.tif 000002
【図２】
0004430259.tif 000003
【図３】
0004430259.tif 000004
【図４】
0004430259.tif 000005
【図５】
0004430259.tif 000006
【図６】
0004430259.tif 000007